(57)【特許請求の範囲】
【請求項１】
橋脚に支持された構築物の下方に長手方向に沿って、かつ橋脚の開口部を貫通して吊持される複数本のハンガーレールと、
上記各ハンガーレールに沿って移動自在な複数個の上段吊持機と、
橋脚開口部の左右幅以下の直径寸法を有し、上記各上段吊持機により略水平な姿勢に吊持されて橋脚開口部を通過可能なリング状ハンガーレールと、
上記リング状ハンガーレールに沿って移動自在な複数個の中段吊持機と、
上記各中段吊持機にそれぞれ縦軸廻りに回転自在に吊持される複数個の下段吊持機と、
橋脚開口部の左右幅以下の幅寸法を有し、上記各下段吊持機に相対移動自在に吊持される複数本のガイドレールを有することで長手方向に移動自在、かつリング状ハンガーレールの中心廻りに旋回自在に吊持されて橋脚開口部を通過可能な足場デッキと、
上記足場デッキの下部における４隅に配置されている転輪に掛け回されたワイヤと、
上記リング状ハンガーレールの中心をはさんで上記ワイヤの対向位置の一方にて該ワイヤと一体的に懸垂支持されているゴンドラと、
上記リング状ハンガーレールの中心をはさんで上記ワイヤの対向位置の他方にて該ワイヤと一体的に保持されていて、上記ゴンドラの重量に対応した負荷を有する錘とを備え、
上記ゴンドラが移動して上記ワイヤが牽引移動されるのに連動して上記錘が上記ゴンドラと相対位置に移動することを特徴とする移動式吊り足場装置。
【請求項２】
請求項１記載の移動式吊り足場装置において、
上記ゴンドラは、上記足場デッキにおける長手面の下部で平行に配置されたラック歯に噛み合い可能なピニオン輪およびこのピニオン歯の回転駆動手段とを備えた駆動部と、駆動部をはさんで上記ラック歯の延長方向両側に連結されて上記ラック歯に噛み合うピニオン輪を備え、上記ゴンドラの懸垂支持部を備えた懸垂部とにより支持されていることを特徴とする移動式吊り足場装置。
【発明の詳細な説明】
【０００１】
【発明の属する技術分野】
本発明は、橋脚に支持された高架道路や鉄道用高架橋などの構築物に対してメンテナンス作業を行うための移動式吊り足場装置に関し、詳しくは、橋脚開口部を通過して連続作業が行えるようにした移動式吊り足場装置に関する。
【０００２】
【従来の技術】
高架道路や鉄道用高架橋などの構築物に対する保守点検のメンテナンス作業を行うための足場装置として、移動式吊り足場装置が従来一般に知られている（特公平５−５４５５１号公報参照）。
【０００３】
前記移動式吊り足場装置は、高架道路や鉄道用高架橋の長手方向に沿ってその下面側に固定される複数本（一般には左右一対）のハンガーレールと、これらのハンガーレールに沿って前後方向に移動自在な複数個の吊持機と、各吊持機に吊持された複数個の第２吊持機と、各第２吊持機に相対移動自在に吊持される複数本のガイドレールを有することで上記ハンガーレールと直交する左右方向に移動自在な足場デッキなどで構成されている。そしてこの移動式吊り足場装置では、高架道路や鉄道用高架橋の下方に吊持された足場デッキが前後左右に移動できることで、高架道路や鉄道用高架橋などのメンテナンス作業を幅方向及び長手方向に渡って行えるようになっている。
【０００４】
ここで、前記移動式吊り足場装置が使用される高架道路や鉄道用高架橋は、その長手方向に沿って所定間隔で配置された複数の橋脚により支持されており、各橋脚は一般に高架道路や鉄道用高架橋の幅内に配置されるが、各橋脚には比較的大きな開口部が設けられている。
【０００５】
ところで、前記従来の移動式吊り足場装置は、足場デッキが高架道路や鉄道用高架橋の幅方向に長手となる向きに設置されており、その長さは一般に前記橋脚の開口部の左右幅より大きくなっているので、各橋脚の開口部を通過することができない。このため、従来の移動式吊り足場装置を使用したメンテナンス作業は、高架道路や鉄道用高架橋の各橋脚間毎に分断して行わなければならず、極めて作業効率が悪いという問題があった。
【０００６】
そこで本出願人は、橋脚に支持された高架道路や鉄道用高架橋などの構築物に対する幅方向及び長手方向に渡るメンテナンス作業を、橋脚開口部を通過することで各橋脚間毎に分断することなく連続的に行うことができる移動式吊り足場装置を提案した（特開平８−４２１３３号公報）。
【０００７】
上記提案の装置は、本発明の説明に用いる図１に示すように、例えば、鉄道用高架橋の長手方向に沿ってその下方に吊持される左右一対のハンガーレール１と、ハンガーレール１に沿って移動自在に設けられている前後左右４個の上段吊持機２と、上段吊持機によって略水平な姿勢に吊持されるリング状ハンガーレール３と、リング状ハンガーレール３に沿って移動自在に設けられている前後左右４個の中断吊持機４と、中断吊持機４に吊持される前後左右４個の下段吊持機５と、下段吊持機５に吊持される足場デッキ６を備え、リング状ハンガーレール３に沿って足場デッキ６を水平面内で旋回できるようにすることで橋脚開口部を通過できる向きに足場デッキの向きを設定し、かつ、ハンガーレール１に沿って移動できることと合わせて構築物に対する幅方向および長手方向への移動を可能にしてメンテナンス作業を各橋脚間毎に分断することなく連続的に行えるようになっている。
【０００８】
【発明が解決しようとする課題】
ところで、上記提案の構成を利用して構築物の長手方向および幅方向で橋脚間毎での分断をなくしてメンテナンス作業を行う場合、メンテナンス作業の内容に応じた工具や装置を準備しておくことで一々メンテナンス作業を中断させずに済み、メンテナンス作業性が向上する。
しかし、上記の工具や装置を必要なだけ準備し、それらを足場デッキ上に置いておくことは作業の邪魔あるいは落下事故などの原因となる。
そこで、足場デッキの下部にて上下動可能なゴンドラを吊持させ、そのゴンドラに上記各工具や装置を搭載しておくことが考えられるが、ゴンドラを足場デッキに吊持させた場合にはその重量増加によって足場デッキに作用する重量バランスが悪くなり、上段、中段および下段の各吊持機に加わる負荷も不均衡となる虞がある。
【０００９】
本発明の目的は、上記の提案構造におけるメンテナンス作業性をさらに向上させることができる構成を備えた移動式吊り足場装置を提供することにある。
【００１０】
【課題を解決するための手段】
この目的を達成するため、請求項１記載の発明は、橋脚に支持された構築物の下方に長手方向に沿って、かつ橋脚の開口部を貫通して吊持される複数本のハンガーレールと、上記各ハンガーレールに沿って移動自在な複数個の上段吊持機と、橋脚開口部の左右幅以下の直径寸法を有し、上記各上段吊持機により略水平な姿勢に吊持されて橋脚開口部を通過可能なリング状ハンガーレールと、上記リング状ハンガーレールに沿って移動自在な複数個の中段吊持機と、上記各中段吊持機にそれぞれ縦軸廻りに回転自在に吊持される複数個の下段吊持機と、橋脚開口部の左右幅以下の幅寸法を有し、上記各下段吊持機に相対移動自在に吊持される複数本のガイドレールを有することで長手方向に移動自在、かつリング状ハンガーレールの中心廻りに旋回自在に吊持されて橋脚開口部を通過可能な足場デッキと、上記足場デッキの下部における４隅に配置されている転輪に掛け回されたワイヤと、上記ワイヤの対向する位置の一方にて一体的に懸垂支持されているゴンドラと、上記ワイヤの対向する位置の他方にて一体的に保持されていて、上記ゴンドラの重量に対応した負荷を有する錘とを備え、上記ゴンドラが移動して上記ワイヤが牽引移動されるのに連動して上記錘が上記ゴンドラと相対位置に移動することを特徴としている。
【００１１】
請求項２記載の発明は、請求項１記載の移動式吊り足場装置において、上記ゴンドラは、上記足場デッキにおける長手面の下部で平行に配置されたラック歯に噛み合い可能なピニオン輪およびこのピニオン歯の回転駆動手段とを備えた駆動部と、駆動部をはさんで上記ラック歯の延長方向両側に連結されて上記ラック歯に噛み合うピニオン輪を備え、上記ゴンドラの懸垂支持部を備えた懸垂部とにより支持されていることを特徴としている。
【００１２】
【作用】
請求項１記載の発明では、メンテナンス作業の対象となる構築物の下方に複数本のハンガーレール，複数個の上段吊持機，リング状ハンガーレール，複数個の中段吊持機，複数個の下段吊持機を介して足場デッキが吊持される。そしてこの足場デッキは、各上段吊持機が各ハンガーレールに沿って移動することで構築物の長手方向に沿って移動し、各中段吊持機がリング状ハンガーレールに沿って移動することで該リング状ハンガーレールの中心廻りに旋回し、各ガイドレールが各下段吊持機に対して相対移動することでその長手方向に移動することができる。これにより、足場デッキをリング状ハンガーレールの中心廻りに旋回してその長手方向を構築物の長手方向に沿わせ、この状態で構築物の長手方向に沿って移動すると、足場デッキはリング状ハンガーレールと共に橋脚開口部を通過することができる。
しかも、足場デッキの下部にはそのデッキの４隅に配置されている転輪に掛け回されているワイヤにおいてゴンドラと錘とが相対位置に移動するので、ゴンドラの位置に拘わらず、足場デッキでの重量バランスが不均衡とならないようにできる。
【００１３】
請求項２記載の発明では、足場デッキ下部に設けられているラック歯に噛み合うピニオン輪を備えた懸垂部によりゴンドラが懸垂支持されると共に、懸垂部が駆動部に連結されていることにより、駆動部の駆動が行われるとラック歯に沿ってゴンドラを所望位置に移動させることができ、さらにゴンドラの移動に連動してワイヤが牽引されることで錘のゴンドラと相対位置に移動することができる。
【００１４】
【実施例】
以下、本発明の一実施例を添付の図面を参照して具体的に説明するが、まず本発明実施例が対象とする前提技術である、特開平８−４２１３３号公報に示された構成を説明し、その後、本願発明実施例の詳細を説明する。
図１は、一般の鉄道用高架橋をメンテナンス作業の対象とする一実施例による移動式吊り足場装置の全体概略構造を示し、図１において符号１は、後述する鉄道用高架橋の長手方向に沿ってその下方に吊持される左右一対のハンガーレール、符号２は各ハンガーレール１，１に沿って移動自在な前後左右４個の上段吊持機、符号３は上記各上段吊持機２により略水平な姿勢に吊持されるリング状ハンガーレール、符号４はこのリング状ハンガーレール３に沿って移動自在な前後左右４個の中段吊持機４、符号５は各中段吊持機４に吊持される前後左右４個の下段吊持機、符号６は各下段吊持機５に吊持される足場デッキをそれぞれ示している。
【００１５】
前記ハンガーレール１，１は、図２に拡大して示すように、上下方向に延びる支持部１ａの下端からレール部１ｂ，１ｂが左右方向にそれぞれ突出する逆Ｔ字形の断面形状を有するもので、レール部１ｂ，１ｂの下面には側面視において連続する波形に形成されたラック歯１ｃがその長手方向に沿って付設されている。そして上記支持部１ａの上部には複数の係止孔１ｄが長手方向に沿って略１５０ｃｍの相互間隔で形成されており、各係止孔１ｄにチェーン７の下端のフック７ａが係合することで、ハンガーレール１は複数のチェーン７により水平状態に吊持されるようになっている。
【００１６】
また前記上段吊持機２は、ケーシング２ａ内に回転自在に支持した前後左右４個のフランジ付車輪２ｂがハンガーレール１のレール部１ｂ，１ｂ上を転動することでハンガーレール１に沿って移動できるものであり、上記左右のフランジ付車輪２ｂ，２ｂのフランジ部２ｃ，２ｃがハンガーレール１のレール部１ｂ，１ｂを挟持することで脱輪が防止されている。そしてこの上段吊持機２のケーシング２ａの下部には連結ピン２ｄが横架され、この連結ピン２ｄは、吊持ロッド８の上端に縦軸廻りに回転自在に係合したカップリング９を貫通してこれを横軸廻りに回転自在に吊持している。
【００１７】
ここで前記前後左右４個の上段吊持機２のうち、少なくとも１個の上段吊持機２には、前記ハンガーレール１のラック歯１ｃに噛み合うピニオン輪２ｅがその中心軸２ｆを介してケーシング２ａに回転自在に支持され、この中心軸２ｆには従動ギヤ２ｇが固定されている。これに対応して上記従動ギヤ２ｇに噛み合うピニオンギヤ２ｈを有する駆動ハンドル２ｉがケーシング２ａに回転自在に支持されており、この駆動ハンドル２ｉを手動により回転駆動することで、ピニオン輪２ｅが減速回転してラック歯１ｃ上を転動し、こうして上段吊持機２がハンガーレール１に沿って走行するようになっている。またこのような上段吊持機２をハンガーレール１にロックしてその移動を規制すべく、上記ケーシング２ａには、ハンガーレール１のラック歯１ｃに係合するロックピン１０の挿通孔２ｊが形成されている。
【００１８】
一方、前記リング状ハンガーレール３は、前記左右一対のハンガーレール１，１の間隔より大きく、また一般の鉄道用高架橋を支持する橋脚の開口部の左右幅より小さい直径寸法に設定されたもので、図２，図３に拡大して示すように、前記ハンガーレール１と同様の支持部３ａ及びレール部３ｂ，３ｂを有する逆Ｔ字形の断面形状を有し、レール部３ｂ，３ｂの下面には連続する波形に形成されたラック歯３ｃがその長手方向に沿って付設されている。そして支持部３ａの上部にはその円周方向に４等配した位置に各１個の係止孔３ｄが形成されている。このようなリング状ハンガーレール３は、前記各上段吊持機２に吊持された各吊持ロッド８の下端の切欠き溝８ａ内に各係止孔３ｄを臨ませて支持部３ａが挿入され、各係止孔３ｄを貫通するボルト１１が吊持ロッド８の下端に装着されてナット１２により固定されることで、各吊持ロッド８の下端に略水平な姿勢で吊持されている。
【００１９】
また、このようなリング状ハンガーレール３に沿って移動自在な各中段吊持機４は、前記上段吊持機２と略同様の構造であり、前記ケーシング２ａ，フランジ付車輪２ｂ，連結ピン２ｄに対応したケーシング４ａ，フランジ付車輪４ｂ，連結ピン４ｄを有し、この連結ピン４ｄは、吊持ロッド１３の上端に縦軸廻りに回転自在に係合したカップリング１４を貫通してこれを横軸廻りに回転自在に吊持している。
【００２０】
ここで、前記各中段吊持機４のうち、少なくとも１個の中段吊持機４は、前記ピニオン輪２ｅ，中心軸２ｆ，従動ギヤ２ｇ，ピニオンギヤ２ｈ，駆動ハンドル２ｉ，挿通孔２ｊにそれぞれ対応したピニオン輪４ｅ，中心軸４ｆ，従動ギヤ４ｇ，ピニオンギヤ４ｈ，駆動ハンドル４ｉ，挿通孔４ｊを有し、駆動ハンドル４ｉを手動により回転駆動することで、リング状ハンガーレール３に沿って走行するようになっている。
【００２１】
なお、前記各中段吊持機４は、いずれもピニオン輪４ｅを有さず、単に前後左右のフランジ付車輪４ｂがリング状ハンガーレール３のレール部３ｂ，３ｂ上を転動することでリング状ハンガーレール３に沿って自由に移動できる構造としてもよく、その場合には、リング状ハンガーレール３に付設されるラック歯３ｃはこれを省略することができる。
【００２２】
前記各下段吊持機５も、前記上段吊持機２と略同様の構造であり、前記ケーシング２ａ，フランジ付車輪２ｂ，連結ピン２ｄに対応したケーシング５ａ，フランジ付車輪５ｂ，連結ピン５ｄを有し、この連結ピン５ｄが前記吊持ロッド１３の下端を貫通してこれに連結されることで、下段吊持機５は上段吊持機２と上下反対向きで吊持ロッド１３に横軸廻りに回転自在に吊持される。
【００２３】
ここで、前記各下段吊持機５のうち、少なくとも１個の下段吊持機５は、前記ピニオン輪２ｅ，中心軸２ｆ，従動ギヤ２ｇ，ピニオンギヤ２ｈ，駆動ハンドル２ｉ，挿通孔２ｊにそれぞれ対応したピニオン輪５ｅ，中心軸，従動ギヤ，ピニオンギヤ，駆動ハンドル，挿通孔５ｊを有する（一部図示省略）。
【００２４】
一方、前記足場デッキ６は、図３ないし図５にも示すように、上縁がガイドレール６ａで構成され、下縁がパイプ材６ｂ構成された左右一対のトラス梁６ｃ，６ｃと、上記パイプ材６ｂ，６ｂ間にフック６ｄ，６ｄを介して掛け渡されることでトラス梁６ｃ，６ｃの長手方向に沿って敷き詰められる多数の足場板６ｅを備え、その全長はメンテナンス作業の対象である鉄道用高架橋の全幅に対応し、その全幅は鉄道用高架橋を支持する橋脚の開口部の左右幅（例えば略４．９ｍ）より狭く設定されている。
【００２５】
ここで、足場デッキ６の上縁を構成する左右一対のガイドレール６ａ，６ａは、前記下段吊持機５に対応して、上下方向に延びる支持部６ｆの上端からレール部６ｇ，６ｇが左右方向にそれぞれ突出するＴ字形の断面形状を有し、レール部６ｇ，６ｇの上面には側面視において連続する波形に形成されたラック歯６ｈ，６ｈがその長手方向に沿って付設されている。そしてこのような左右一対のガイドレール６ａ，６ａは、そのレール部６ｇ，６ｇの下面が前記下段吊持機５の各フランジ付車輪５ｂ上に乗り、かつピニオン輪５ｅにラック歯６ｈが噛み合った状態でそれぞれ前後２個の下段吊持機５に吊持されており、下段吊持機５の駆動ハンドル（図示省略）を手動回転し、ピニオン輪５ｅを減速回転してラック歯６ｈを送ることで、ガイドレール６ａ，６ａは足場デッキ６と共に各下段吊持機５に対して長手方向に相対移動するようになっている。
【００２６】
次に、上記吊り足場装置の構成を対象として、本発明実施例を説明する。
本発明実施例による移動式吊り足場装置は、足場デッキ６の下部に相対方向に移動可能なゴンドラと錘とを設けたことを特徴としている。
つまり、図５は、足場デッキ６の下部を示す模式図であり、同図において足場デッキ６の下面４隅には、トラス梁６ｃに一体化された支柱部材１４が設けられており、各支柱部材１４の下端近傍には、転輪１５がそれぞれ固定されている。
転輪１５には、後述するゴンドラおよび錘の懸垂支持部材に各端部が連結されているワイヤ１６（図５中、一点鎖線で示す部材）が掛け回されている。
足場デッキ６の下部には、パイプ部材６ｂの下周面に一体化された桁部材１７が足場デッキ６の長手方向に沿って複数固定されており、桁部材１７の下面には、図３に示したリング状ハンガーレール３と同様にラック歯（便宜上、符号３ｃ’で示す）を下向きにしたゴンドラ用ハンガーレール１８が足場デッキ６の長手方向に沿って設けられている。
【００２７】
ゴンドラ１９は、図示しないが、内部にメンテナンス作業に用いる作業機械を収容できる空間を持つ筐体で構成されており、その天井部が懸垂支持されている。
ゴンドラ１９を懸垂支持した状態で足場デッキ６の長手方向に沿って移動させるために、ゴンドラ用ハンガーレール１８には、上段吊持機２に対して駆動ハンドルに係る構成を除いて同様な構成を備えた駆動部２０と、駆動部２０に対して横桿２１を介して駆動部２０の両側に連結され、下段吊持機５を上下反転させた構成の懸垂部２２とが、それらに有するピニオン輪をゴンドラ用ハンガーレール１８に形成されているラック歯に噛み合わせて設けられている。
駆動部２０には、上段吊持機２における駆動ハンドル２ｉに代えてピニオン輪（図２において符号２ｅで示す部材に相当）を回転駆動するための減速歯車機構２３が設けられており、この減速歯車機構２３の入力側には電動モータなどの駆動手段２４の出力軸に設けられている歯車（図示されず）が噛み合っている。駆動手段２４は、足場デッキ６側に配置されている操作スイッチ（図示されず）に対して電気的接続されている。この操作スイッチは、ゴンドラ１９に搭載されている電源に接続されることで駆動手段２４への給電制御を行う。操作スイッチでは、駆動手段の移動方向および給電のオンオフ指令が行えるようになっている。
【００２８】
駆動部２０の両側に位置する懸垂部２２には、各転輪１５を迂回したワイヤの各端部が固定されている。
一方、ワイヤ１５は、各転輪１５を迂回しているが、リング状ハンガーレール３の中心をはさんでゴンドラ１９と対向する位置において分割され、その分割された各端部が錘懸垂部２５の両端部に固定されている。
錘懸垂部２５は、ゴンドラ１９を対象とする懸垂部２２と同様な構成を備え、その下面にはゴンドラ１９の総重量に均衡する負荷を持つ錘２６が懸垂支持されている。この場合のゴンドラ１９の総重量は、搭載機器を含めた重量を指す。
【００２９】
本実施例は以上のような構成であるから、メンテナンス作業の対象構築物である鉄道用高架橋に対して左右一対のハンガーレール１、１が鉄道用高架橋に沿ってその下方に吊持される。
【００３０】
こうして鉄道用高架橋の下方には、左右一対のハンガーレール１，１、前後左右の上段吊持機２、リング状ハンガーレール３、前後左右の中段吊持機４、前後左右の下段吊持機５を介して足場デッキ６が吊持されるのであり、足場デッキ６は、各上段吊持機２が左右一対のハンガーレール１，１に沿って移動することで鉄道用高架橋の長手方向に沿って移動し、各中段吊持機２がリング状ハンガーレール３に沿って移動することで該リング状ハンガーレール３の中心廻りに旋回し、左右一対のガイドレール６ａ，６ａが各下段吊持機５に対して相対移動することでその長手方向に移動する。
【００３１】
鉄道用高架橋のメンテナンス作業に当り、橋脚間においては、足場デッキ６をリング状ハンガーレール３の中心廻りに旋回してその長手方向を左右一対のハンガーレール１，１と直交させ、この状態で足場デッキ６を左右一対のハンガーレール１，１に沿って移動させる。そうすることで、足場デッキ６は長手方向が鉄道用高架橋の幅方向に沿った状態で鉄道用高架橋の長手方向に移動するのであり、橋脚間においては、足場デッキ６上から鉄道用高架橋Ａの下面に対するメンテナンス作業をその全幅に渡り長手方向に沿って順次行うことができる。
【００３２】
また、この状態でガイドレール６ａを各下段吊持機５に対し相対移動させて足場デッキ６を長手方向に移動すれば、足場デッキ６は鉄道用高架橋の左右幅を超えて大きくオーバハングでき、鉄道用高架橋の両側部分のメンテナンス作業も容易に行える。
【００３３】
さらに、橋脚間においては、足場デッキ６はリング状ハンガーレール３の中心廻りに任意の角度だけ旋回させることができ、例えば所定位置で半回転させれば、足場デッキ６の旋回軌跡が描く大きな円に相当する面積について鉄道用高架橋の下面に対するメンテナンス作業を行うことができる。
【００３４】
足場デッキ６上に搭乗している作業者がゴンドラ１９の位置を移動しようとする場合には、操作スイッチによって駆動手段２４を駆動してゴンドラ１９を所望の位置に移動させる。この場合には、駆動部２０が駆動手段２４の駆動方向に応じて移動するのに合わせて懸垂部２２が移動し、この移動に連動してワイヤ１６が牽引される。このため、リング状ハンガーレール３の中心をはさんでゴンドラ１９と対向する錘懸垂部２５は、常に上記中心をはさんでゴンドラ１９と反対側の位置に移動するので、ゴンドラ１９の位置が変化した場合の足場デッキ６の重量バランスを均衡させることができ、足場デッキ６が不用意に傾くようなことがない。
【００３５】
【発明の効果】
以上説明したとおり請求項１記載の発明によれば、メンテナンス作業の対象となる構築物の下方に複数本のハンガーレール，複数個の上段吊持機，リング状ハンガーレール，複数個の中段吊持機，複数個の下段吊持機を介して足場デッキが吊持される。そしてこの足場デッキは、各上段吊持機が各ハンガーレールに沿って移動することで構築物の長手方向に沿って移動し、各中段吊持機がリング状ハンガーレールに沿って移動することで該リング状ハンガーレールの中心廻りに旋回し、各ガイドレールが各下段吊持機に対して相対移動することでその長手方向に移動することができる。これにより、足場デッキをリング状ハンガーレールの中心廻りに旋回してその長手方向を構築物の長手方向に沿わせ、この状態で構築物の長手方向に沿って移動すると、足場デッキはリング状ハンガーレールと共に橋脚開口部を通過することができる。
しかも、足場デッキの下部にはそのデッキの４隅に配置されている転輪に掛け回されているワイヤにおいてゴンドラと錘とが相対位置に移動するので、ゴンドラの位置に拘わらず、足場デッキでの重量バランスが不均衡とならないようにできる。これにより、メンテナンス作業に必要な機器類をメンテナンス作業箇所に近い位置に準備しておくことができるので、メンテナンス作業を中断することなく多くの作業内容をこなすことができると共に、これら機器類を準備するための構成を備えた場合の足場デッキに作用する重量の不均衡をなくしてメンテナンス作業の安全性を確保することができる。
【００３６】
請求項２記載の発明によれば、足場デッキ下部に設けられているラック歯に噛み合うピニオン輪を備えた懸垂部によりゴンドラが懸垂支持されると共に、懸垂部が駆動部に連結されていることにより、駆動部の駆動が行われるとラック歯に沿ってゴンドラを所望位置に移動させることができ、さらにゴンドラの移動に連動してワイヤが牽引されることで錘をゴンドラと相対位置に移動することができる。これにより、ゴンドラの移動に連動して自動的に錘の位置をゴンドラと相対する位置に移動させて足場デッキの重量バランスを均衡させることができるので、メンテナンス作業での安全性を作業者が一々確認することなく確保することができる。
【図面の簡単な説明】
【図１】本発明による移動式吊り足場装置の一実施例の全体概略構造を示すスケルトン斜視図である。
【図２】本発明実施例による移動式吊り足場装置における上段吊持機及びリング状ハンガーレールの構造と共に両者の連結構造を示す正面断面図である。
【図３】本発明実施例による移動式吊り足場装置における中段吊持機、下段吊持機、及び足場デッキの構造と共にこれらの連結構造を示す一部断面とした側面図である。
【図４】本発明実施例による移動式吊り足場装置における足場デッキの部分斜視図である。
【図５】本発明実施例による移動式吊り足場装置の要部構成を説明するための模式図である。
【符号の説明】
１  ハンガーレール
１ａ  支持部
１ｂ  レール部
１ｃ  ラック歯
１ｄ  係止孔
２  上段吊持機
２ａ  ケーシング
２ｂ  フランジ付車輪
２ｃ  フランジ部
２ｄ  連結ピン
２ｅ  ピニオン輪
２ｆ  中心軸
２ｇ  従動ギヤ
２ｈ  ピニオンギヤ
２ｉ  駆動ハンドル
２ｊ  挿通孔
３  リング状ハンガーレール
３ａ  支持部
３ｂ  レール部
３ｃ  ラック歯
３ｄ  係止孔
４  中段吊持機
４ａ  ケーシング
４ｂ  フランジ付車輪
４ｄ  連結ピン
４ｅ  ピニオン輪
４ｆ  中心軸
４ｇ  従動ギヤ
４ｈ  ピニオンギヤ
４ｉ  駆動ハンドル
４ｊ  挿通孔
５  下段吊持機
５ａ  ケーシング
５ｂ  フランジ付車輪
５ｄ  連結ピン
５ｅ  ピニオン輪５ｅ
５ｊ  挿通孔
６  足場デッキ
６ａ  ガイドレール
６ｂ  パイプ材
６ｃ  トラス梁
６ｄ  フック
６ｅ  足場板
６ｆ  支持部
６ｇ  レール部
６ｈ  ラック歯
７  チェーン
７ａ  フック
８  吊持ロッド
８ａ  切欠き溝
９  カップリング
１０  ロックピン１０
１１  ボルト
１２  ナット
１３  吊持ロッド
１４  カップリング
１５  転輪
１６  ワイヤ
１８  ゴンドラ用ハンガーレール
１９  ゴンドラ
２０  駆動部
２２  懸垂部
２４  駆動手段
２５  錘懸垂部
２６  錘
【図１】
0003980766.tif 000002
【図２】
0003980766.tif 000003
【図３】
0003980766.tif 000004
【図４】
0003980766.tif 000005
【図５】
0003980766.tif 000006